(57)【特許請求の範囲】
【請求項１】
外部からハンズフリープロファイルの接続開始が要求されたことに応じて電話機状態を外部に通知する携帯電話機と共に車載ハンズフリーシステムを構築する車載ハンズフリー装置であって、
ハンズフリープロファイルを携帯電話機との間で接続可能な近距離無線通信手段と、
ハンズフリープロファイルの接続開始を携帯電話機に要求したことに応じて携帯電話機から通知された電話機状態を識別して当該携帯電話機がハンドセット通話中である旨を検出した場合に、接続中断コマンドを当該携帯電話機に送信させることで、前記近距離無線通信手段と携帯電話機との間でのハンズフリープロファイルの接続動作を中断させてハンドセット通話を継続させ、ユーザがハンズフリープロファイルの接続動作の許可または拒否を選択手段により選択可能となるように報知手段を動作させると共に、ユーザがハンズフリープロファイルの接続動作の許可または拒否を選択手段により選択する旨を待機する制御手段とを備えたことを特徴とする車載ハンズフリー装置。
【請求項２】
請求項１に記載した車載ハンズフリー装置において、
前記制御手段は、ユーザがハンズフリープロファイルの接続動作の許可を前記選択手段により選択した場合に、その直後にハンズフリープロファイルの接続動作を行わせることを特徴とする車載ハンズフリー装置。
【請求項３】
請求項１または２に記載した車載ハンズフリー装置において、
前記制御手段は、ユーザがハンズフリープロファイルの接続動作の拒否を前記選択手段により選択した場合に、携帯電話機から通知された電話機状態を識別して当該携帯電話機がハンドセット通話中である旨を検出している期間ではハンズフリープロファイルの接続動作の中断を維持してハンドセット通話を継続させることを特徴とする車載ハンズフリー装置。
【請求項４】
請求項３に記載した車載ハンズフリー装置において、
前記制御手段は、携帯電話機がハンドセット通話を終了した場合に、その直後にハンズフリープロファイルの接続動作を行わせることを特徴とする車載ハンズフリー装置。
【請求項５】
外部からハンズフリープロファイルの接続開始が要求されたことに応じて電話機状態を外部に通知する携帯電話機と、携帯電話機から通知された電話機状態を識別する車載ハンズフリー装置とを備えてなる車載ハンズフリーシステムであって、
車載ハンズフリー装置は、
ハンズフリープロファイルを携帯電話機との間で接続可能な近距離無線通信手段と、
ハンズフリープロファイルの接続開始を携帯電話機に要求したことに応じて携帯電話機から通知された電話機状態を識別して当該携帯電話機がハンドセット通話中である旨を検出した場合に、接続中断コマンドを当該携帯電話機に送信させることで、前記近距離無線通信手段と携帯電話機との間でのハンズフリープロファイルの接続動作を中断させてハンドセット通話を継続させ、ユーザがハンズフリープロファイルの接続動作の許可または拒否を選択手段により選択可能となるように報知手段を動作させると共に、ユーザがハンズフリープロファイルの接続動作の許可または拒否を選択手段により選択する旨を待機する制御手段とを備えて構成されていることを特徴とする車載ハンズフリーシステム。
【請求項６】
外部からハンズフリープロファイルの接続開始が要求されたことに応じて電話機状態を外部に通知する携帯電話機と共に車載ハンズフリーシステムを構築する車載ハンズフリー装置であって、
ハンズフリープロファイルを携帯電話機との間で接続可能な近距離無線通信手段と、
ハンズフリープロファイルの接続開始を携帯電話機に要求したことに応じて携帯電話機から通知された電話機状態を識別して当該携帯電話機がハンドセット通話中である旨を検出した場合に、前記近距離無線通信手段と携帯電話機との間でのハンズフリープロファイルの接続動作を中断させてハンドセット通話を継続させ、ユーザがハンズフリープロファイルの接続動作の許可または拒否を選択手段により選択可能となるように報知手段を動作させると共に、ユーザがハンズフリープロファイルの接続動作の許可または拒否を選択手段により選択する旨を待機する制御手段とを備え、
前記制御手段は、ユーザがハンズフリープロファイルの接続動作の拒否を前記選択手段により選択した場合に、携帯電話機から通知された電話機状態を識別して当該携帯電話機がハンドセット通話中である旨を検出している期間ではハンズフリープロファイルの接続動作の中断を維持してハンドセット通話を継続させることを特徴とする車載ハンズフリー装置。
【請求項７】
請求項６に記載した車載ハンズフリー装置において、
前記制御手段は、携帯電話機がハンドセット通話を終了した場合に、その直後にハンズフリープロファイルの接続動作を行わせることを特徴とする車載ハンズフリー装置。
【請求項８】
請求項６または７に記載した車載ハンズフリー装置において、
前記制御手段は、ユーザがハンズフリープロファイルの接続動作の許可を前記選択手段により選択した場合に、その直後にハンズフリープロファイルの接続動作を行わせることを特徴とする車載ハンズフリー装置。
【発明の詳細な説明】
【技術分野】
【０００１】
本発明は、ハンズフリープロファイルを携帯電話機との間で接続可能に構成されている車載ハンズフリー装置及び前記車載ハンズフリー装置と携帯電話機とを備えてなる車載ハンズフリーシステムに関する。
【背景技術】
【０００２】
Ｂｌｕｅｔｏｏｔｈ（登録商標）通信機能を有する車載ハンズフリー装置として、例えばＡＣＣスイッチがオンして起動（電源オン）すると、その時点でＢｌｕｅｔｏｏｔｈ携帯電話機がハンドセット通話（電話機通話）中であり且つＢｌｕｅｔｏｏｔｈ通信機能を有するＢｌｕｅｔｏｏｔｈ携帯電話機との間でＢｌｕｅｔｏｏｔｈ通信可能な状態であれば、ユーザがＢｌｕｅｔｏｏｔｈ携帯電話機または車載ハンズフリー装置にてハンドセット通話からハンズフリー通話に切替える操作を行ったことを条件としてハンズフリー通話を可能とする構成がある（例えば特許文献１参照）。
【特許文献１】特開２００２−１７１３３７号公報
【発明の開示】
【発明が解決しようとする課題】
【０００３】
ところで、上記した特許文献１のようにユーザがハンドセット通話からハンズフリー通話に切替える操作を行ったことを条件としてハンズフリー通話を可能とする構成では、車載ハンズフリー装置及びＢｌｕｅｔｏｏｔｈ携帯電話機は以下の手順を行うと考えられる。すなわち、図５及び図６に示すように、車載ハンズフリー装置は、起動すると、ハンズフリープロファイル（ＨＦＰ）の接続開始をＢｌｕｅｔｏｏｔｈ携帯電話機に要求し、次いで、電話機状態をＢｌｕｅｔｏｏｔｈ携帯電話機に要求し、Ｂｌｕｅｔｏｏｔｈ携帯電話機から電話機状態が通知される旨を待機する。
【０００４】
車載ハンズフリー装置は、Ｂｌｕｅｔｏｏｔｈ携帯電話機から電話機状態が通知されると、状態変化時の通知をＢｌｕｅｔｏｏｔｈ携帯電話機に設定し、Ｂｌｕｅｔｏｏｔｈ携帯電話機から状態変化時の通知設定結果が応答される旨を待機する。そして、車載ハンズフリー装置は、Ｂｌｕｅｔｏｏｔｈ携帯電話機から状態変化時の通知設定結果が応答されると、ハンズフリープロファイルをＢｌｕｅｔｏｏｔｈ携帯電話機との間で接続する。
【０００５】
Ｂｌｕｅｔｏｏｔｈ携帯電話機は、ハンズフリープロファイルを車載ハンズフリー装置との間で接続すると、音声リンクを車載ハンズフリー装置との間で接続する。車載ハンズフリー装置は、Ｂｌｕｅｔｏｏｔｈ携帯電話機から音声リンクが接続されると、ハンズフリー動作を許可するか拒否するかをユーザに問う表示画面を表示し、ユーザがハンズフリー動作の許可を選択すると、その表示画面を消去し、ハンズフリー通話を可能とする（ハンズフリー通話状態に移行する）。
【０００６】
しかしながら、上記した一連の手順では、以下の問題がある。
すなわち、Ｂｌｕｅｔｏｏｔｈ携帯電話機は、音声リンクを車載ハンズフリー装置との間で接続すると、ハンドセット通話を強制的に終了するように構成されているが、上記した一連の手順では、Ｂｌｕｅｔｏｏｔｈ携帯電話機が車載ハンズフリー装置との間で音声リンクを接続した後に、ユーザがハンズフリー動作を許可するか拒否するかを選択することになるので、ユーザがハンズフリー動作の許可を選択すると、図５に示すように、Ｂｌｕｅｔｏｏｔｈ携帯電話機が音声リンクを接続してからユーザがハンズフリー動作の許可を選択してハンズフリー通話が可能となるまでの期間が無音状態になるという問題がある。また、ユーザがハンズフリー動作の拒否を選択すると、図６に示すように、ユーザがハンドセット通話を終了するまで無音状態になるという問題もある。
【０００７】
本発明は、上記した事情に鑑みてなされたものであり、その目的は、ユーザがハンズフリー動作を許可するか拒否するかを選択する場合に無音状態が発生してしまうことを未然に回避することができ、使い勝手を高めることができる車載ハンズフリー装置及び車載ハンズフリーシステムを提供することにある。
【課題を解決するための手段】
【０００８】
請求項１に記載した車載ハンズフリー装置によれば、制御手段は、ハンズフリープロファイルの接続開始を携帯電話機に要求したことに応じて携帯電話機から電話機状態が通知され、その通知された電話機状態を識別して当該携帯電話機がハンドセット通話中である旨を検出すると、接続中断コマンドを当該携帯電話機に送信させることで、近距離無線通信手段と携帯電話機との間でのハンズフリープロファイルの接続動作を中断させてハンドセット通話を継続させ、ユーザがハンズフリープロファイルの接続動作の許可または拒否を選択手段により選択可能となるように報知手段を動作させると共に、ユーザがハンズフリープロファイルの接続動作の許可または拒否を選択手段により選択する旨を待機するように構成した。これにより、ハンドセット通話を継続したままユーザがハンズフリー動作を許可するか拒否するかを選択することになり、ユーザがハンズフリー動作を許可するか拒否するかを選択する場合に無音状態が発生してしまうことを未然に回避することができ、使い勝手を高めることができる。
【０００９】
請求項２に記載した車載ハンズフリー装置によれば、制御手段は、ユーザがハンズフリープロファイルの接続動作の許可を選択手段により選択すると、その直後にハンズフリープロファイルの接続動作を行わせるように構成したので、無音状態が発生することなくハンドセット通話からハンズフリー通話に速やかに切替えることができる。
【００１０】
請求項３に記載した車載ハンズフリー装置によれば、制御手段は、ユーザがハンズフリープロファイルの接続動作の拒否を選択手段により選択すると、携帯電話機から通知された電話機状態を識別して当該携帯電話機がハンドセット通話中である旨を検出している期間ではハンズフリープロファイルの接続動作の中断を維持してハンドセット通話を継続させるように構成したので、無音状態が発生することなくハンドセット通話を通話終了まで継続することができる。
【００１１】
請求項４に記載した車載ハンズフリー装置によれば、制御手段は、携帯電話機がハンドセット通話を終了すると、その直後にハンズフリープロファイルの接続動作を行わせるように構成したので、携帯電話機との間でハンズフリープロファイルを速やかに接続することができ、これ以後、次回の通話のときにハンズフリー通話を適切に可能とすることができる。
【発明を実施するための最良の形態】
【００１２】
以下、本発明の一実施形態について、図１ないし図４を参照して説明する。図１は、車載ハンズフリーシステムの構成を機能ブロック図として示している。車載ハンズフリーシステム１は、Ｂｌｕｅｔｏｏｔｈ通信（本発明でいう近距離無線通信）機能を有するＢｌｕｅｔｏｏｔｈ携帯電話機（本発明でいう携帯電話機）２とＢｌｕｅｔｏｏｔｈ通信機能を有する車載ハンズフリー装置３とがＢｌｕｅｔｏｏｔｈ通信可能に構成されている。Ｂｌｕｅｔｏｏｔｈ携帯電話機２は、他の携帯電話機や固定電話機との間で携帯電話網を介して携帯電話通信を行うことが可能であると共に、Ｂｌｕｅｔｏｏｔｈ通信可能な状態であれば（電源オンしており且つ通信圏内であれば）、車載ハンズフリー装置３との間でＢｌｕｅｔｏｏｔｈ通信を行うことが可能に構成されている。
【００１３】
車載ハンズフリー装置３は、制御部４（本発明でいう制御手段）、電源制御部５、表示部６（本発明でいう報知手段）及びＢｌｕｅｔｏｏｔｈユニット７（本発明でいう近距離無線通信手段）を備えて構成されている。制御部４は、ＣＰＵ、ＲＡＭ及びＲＯＭなどを備え、制御プログラムを実行することで車載ハンズフリー装置３の動作全般を制御する。
【００１４】
電源制御部５は、ＡＣＣスイッチから当該ＡＣＣスイッチがオンしたことに応じてＡＣＣオン信号が入力されると共に当該ＡＣＣスイッチがオフしたことに応じてＡＣＣオフ信号が入力されるように構成されており、ＡＣＣオン信号が入力されると、制御部４への動作電源の供給を許可することで装置全体を起動（電源オン）させ、一方、ＡＣＣオフ信号が入力されると、制御部４への動作電源の供給を禁止することで装置全体を停止させるように構成されている。尚、電源制御部５は、車載ハンズフリー装置３が電源オフの状態であっても、低消費電力動作でＡＣＣオン信号の入力を監視するように構成されている。
【００１５】
表示部６は、制御部４から表示指令信号が入力されると、その入力された表示指令信号に応じた表示動作を行う。Ｂｌｕｅｔｏｏｔｈユニット７は、制御部４から動作指令信号が入力されると、その入力された動作指令信号に応じたＢｌｕｅｔｏｏｔｈ通信動作を行う。この場合、Ｂｌｕｅｔｏｏｔｈユニット７は、制御部４がハンズフリー通信処理を行うのに必要なハンズフリープロファイル（ＨＦＰ）をＢｌｕｅｔｏｏｔｈ携帯電話機２との間で接続可能に構成されている。尚、Ｂｌｕｅｔｏｏｔｈユニット７は、ハンズフリープロファイルの他に例えば制御部４がデータ通信処理を行うのに必要なダイヤルアップネットワークプロファイル（ＤＵＮＰ）などをもＢｌｕｅｔｏｏｔｈ携帯電話機２との間で接続可能に構成されていても良い。
【００１６】
制御部４は、Ｂｌｕｅｔｏｏｔｈユニット７がハンズフリープロファイルをＢｌｕｅｔｏｏｔｈ携帯電話機２との間で接続している場合には、マイクロホン８から入力された送話音声をＢｌｕｅｔｏｏｔｈユニット７からＢｌｕｅｔｏｏｔｈ携帯電話機２へ送信させると共に、Ｂｌｕｅｔｏｏｔｈ携帯電話機２からＢｌｕｅｔｏｏｔｈユニット７に送信された受話音声をスピーカ９から出力させる。また、制御部４は、操作部１０（本発明でいう選択手段）からユーザの操作内容を表す操作信号が入力されると、その入力された操作信号に応じた動作を行う。この場合、操作部１０は、機械的に配置されている機械スイッチであっても良いし、表示部６に表示されるタッチスイッチであっても良い。
【００１７】
尚、上記した車載ハンズフリー装置３の機能が車載ナビゲーション装置（図示せず）に組み込まれていることで、車載ナビゲーション装置とＢｌｕｅｔｏｏｔｈ携帯電話機とがＢｌｕｅｔｏｏｔｈ通信可能に構成されていても良い。
【００１８】
次に、上記した構成の作用について、図２ないし図４を参照して説明する。
車載ハンズフリー装置３において、制御部４は、ＡＣＣスイッチからＡＣＣオン信号が電源制御部５に入力されて起動すると、ハンズフリープロファイルの接続開始をＢｌｕｅｔｏｏｔｈ携帯電話機２に要求し、次いで、電話機状態をＢｌｕｅｔｏｏｔｈ携帯電話機２に要求し、Ｂｌｕｅｔｏｏｔｈ携帯電話機２から電話機状態が通知される旨を待機する。そして、制御部４は、Ｂｌｕｅｔｏｏｔｈ携帯電話機２から電話機状態が通知されると、その通知された電話機状態を識別してＢｌｕｅｔｏｏｔｈ携帯電話機２がハンドセット通話（携帯電話機２のマイクロホン及びスピーカを利用した電話機通話）中（図２ないし図４では単に「通話中」として示す）であるか否かを判定する。
【００１９】
制御部４は、Ｂｌｕｅｔｏｏｔｈ携帯電話機２がハンドセット通話中である旨を検出すると、ハンズフリープロファイルの接続中断をＢｌｕｅｔｏｏｔｈ携帯電話機２に要求する。ここで、制御部４は、Ｂｌｕｅｔｏｏｔｈの規格で定義されている接続中断コマンドをＢｌｕｅｔｏｏｔｈ携帯電話機２に送信させることで、ハンズフリープロファイルの接続中断をＢｌｕｅｔｏｏｔｈ携帯電話機２に要求する。そして、制御部４は、ハンズフリー動作の許可または拒否をユーザに問う表示画面を表示部６に表示させる。さて、ユーザは、ハンズフリー動作の許可または拒否をユーザに問う表示画面が表示されたことで、ハンズフリー動作を許可するか拒否するかを操作部１０を操作して選択することができる。
【００２０】
ここで、ユーザがハンズフリー動作の許可を選択した場合であれば、図３に示すように、制御部４は、これよりも先に表示させておいたハンズフリー動作の許可または拒否をユーザに問う表示画面を消去させ、ハンズフリープロファイルの接続開始をＢｌｕｅｔｏｏｔｈ携帯電話機２に要求し、次いで、電話機状態をＢｌｕｅｔｏｏｔｈ携帯電話機２に要求し、Ｂｌｕｅｔｏｏｔｈ携帯電話機２から電話機状態が通知される旨を待機する。
【００２１】
制御部４は、Ｂｌｕｅｔｏｏｔｈ携帯電話機２から電話機状態が通知されると、この場合は、その通知された電話機状態を識別することなく、状態変化時の通知をＢｌｕｅｔｏｏｔｈ携帯電話機２に設定し、Ｂｌｕｅｔｏｏｔｈ携帯電話機２から状態変化時の通知設定結果が応答される旨を待機する。次いで、制御部４は、Ｂｌｕｅｔｏｏｔｈ携帯電話機２から状態変化時の通知設定結果が応答されると、ハンズフリープロファイルをＢｌｕｅｔｏｏｔｈ携帯電話機２との間で接続する。そして、制御部４は、ハンズフリープロファイルをＢｌｕｅｔｏｏｔｈ携帯電話機２との間で接続すると、音声リンクの接続をＢｌｕｅｔｏｏｔｈ携帯電話機２に要求し、Ｂｌｕｅｔｏｏｔｈ携帯電話機２から音声リンクが接続されると、ハンズフリー通話を可能とする（ハンズフリー通話状態に移行する）。
【００２２】
以上に説明した一連の手順により、ハンドセット通話を継続した状態でユーザがハンズフリー動作を許可するか拒否するかを選択することができ、ユーザがハンズフリー動作の許可を選択すると、無音状態が発生することなくハンドセット通話からハンズフリー通話に速やかに切替えることができる。
【００２３】
これに対して、ユーザがハンズフリー動作の拒否を選択した場合であれば、図４に示すように、制御部４は、これよりも先に表示させておいたハンズフリー動作の許可または拒否をユーザに問う表示画面を消去させ、ハンズフリープロファイルの接続開始をＢｌｕｅｔｏｏｔｈ携帯電話機２に要求し、次いで、電話機状態をＢｌｕｅｔｏｏｔｈ携帯電話機２に要求し、Ｂｌｕｅｔｏｏｔｈ携帯電話機２から電話機状態が通知される旨を待機する。
【００２４】
制御部４は、Ｂｌｕｅｔｏｏｔｈ携帯電話機２から電話機状態が通知されると、この場合は、その通知された電話機状態を識別してＢｌｕｅｔｏｏｔｈ携帯電話機２がハンドセット通話中であるか否かを判定する。ここで、制御部４は、Ｂｌｕｅｔｏｏｔｈ携帯電話機２がハンドセット通話中である旨を検出すると、ハンズフリープロファイルの接続中断をＢｌｕｅｔｏｏｔｈ携帯電話機２に要求し、次いで、ハンズフリープロファイルの接続開始をＢｌｕｅｔｏｏｔｈ携帯電話機２に要求し、Ｂｌｕｅｔｏｏｔｈ携帯電話機２がハンドセット通話を終了した旨を検出するまで上記した処理を繰返して行う。
【００２５】
一方、制御部４は、Ｂｌｕｅｔｏｏｔｈ携帯電話機２がハンドセット通話中でない旨（ハンドセット通話を終了した旨）を検出すると、状態変化時の通知をＢｌｕｅｔｏｏｔｈ携帯電話機２に設定し、Ｂｌｕｅｔｏｏｔｈ携帯電話機２から状態変化時の通知設定結果が応答される旨を待機する。そして、制御部４は、Ｂｌｕｅｔｏｏｔｈ携帯電話機２から状態変化時の通知設定結果が応答されると、ハンズフリープロファイルをＢｌｕｅｔｏｏｔｈ携帯電話機２との間で接続する。
【００２６】
以上に説明した一連の手順により、ユーザがハンズフリー動作の拒否を選択すると、無音状態が発生することなくハンドセット通話を通話終了まで継続することができる。また、ユーザがハンドセット通話を終了すると、Ｂｌｕｅｔｏｏｔｈ携帯電話機２との間でハンズフリープロファイルを速やかに接続することができ、これ以後、次回の通話のときにハンズフリー通話を適切に可能とすることができる。
【００２７】
ところで、以上は、Ｂｌｕｅｔｏｏｔｈの規格で定義されている接続中断コマンドをＢｌｕｅｔｏｏｔｈ携帯電話機２に送信させることで、ハンズフリープロファイルの接続中断をＢｌｕｅｔｏｏｔｈ携帯電話機２に要求し、ハンズフリープロファイルの接続動作を中断させる場合を説明したが、Ｂｌｕｅｔｏｏｔｈ携帯電話機２から電話機状態が通知された後に状態変化時の通知をＢｌｕｅｔｏｏｔｈ携帯電話機２に設定しないことで、ハンズフリープロファイルの接続動作を中断させても良い。
【００２８】
以上に説明したように本実施形態によれば、車載ハンズフリー装置３において、Ｂｌｕｅｔｏｏｔｈ携帯電話機２がハンドセット通話中である旨を検出すると、Ｂｌｕｅｔｏｏｔｈユニット７とＢｌｕｅｔｏｏｔｈ携帯電話機２との間でのハンズフリープロファイルの接続動作を中断してハンドセット通話を継続し、ハンズフリープロファイルの接続動作の許可または拒否をユーザに問う表示画面を表示すると共にユーザがハンズフリープロファイルの接続動作の許可または拒否を選択する旨を待機するように構成したので、ハンドセット通話を継続したままユーザがハンズフリー動作を許可するか拒否するかを選択することができる。これにより、ユーザがハンズフリー動作を許可するか拒否するかを選択する場合に無音状態が発生してしまうことを未然に回避することができ、使い勝手を高めることができる。
【００２９】
また、ユーザがハンズフリープロファイルの接続動作の許可を選択すると、その直後にハンズフリープロファイルの接続動作を行うように構成したので、無音状態が発生することなくハンドセット通話からハンズフリー通話に速やかに切替えることができる。
また、ユーザがハンズフリープロファイルの接続動作の拒否を選択すると、Ｂｌｕｅｔｏｏｔｈ携帯電話機２がハンドセット通話中である旨を検出している期間ではハンズフリープロファイルの接続動作の中断を維持してハンドセット通話を継続するように構成したので、無音状態が発生することなくハンドセット通話を通話終了まで継続することができる。さらに、Ｂｌｕｅｔｏｏｔｈ携帯電話機２がハンドセット通話を終了すると、その直後にハンズフリープロファイルの接続動作を行うように構成したので、ハンズフリープロファイルを速やかに接続することができ、これ以後、次回の通話のときにハンズフリー通話を適切に可能とすることができる。
【００３０】
本発明は、上記した実施形態にのみ限定されるものではなく、以下のように変形または拡張することができる。
車載ハンズフリー装置が起動する条件は、ＡＣＣスイッチからＡＣＣオン信号が電源制御部に入力されることに限らず、例えば車載ハンズフリー装置に起動ボタンが設けられていれば、その起動ボタンが操作されることであっても良い。
車載ハンズフリー装置の機能が車載ナビゲーション装置に組み込まれている構成であれば、ハンズフリー動作の許可または拒否をユーザに問う表示画面を経路案内用の地図に重ねて表示しても良い。ハンズフリー動作の許可または拒否をユーザに問う方法として、表示画面を表示する構成に限らず、音声ガイダンスを出力する構成であっても良く、また、それら表示画面を表示すると同時に音声ガイダンスを出力する構成であっても良い。
【図面の簡単な説明】
【００３１】
【図１】本発明の一実施形態を示す機能ブロック図
【図２】手順を示すシーケンス図（その１）
【図３】手順を示すシーケンス図（その２）
【図４】手順を示すシーケンス図（その３）
【図５】従来の手順を示すシーケンス図（その１）
【図６】従来の手順を示すシーケンス図（その２）
【符号の説明】
【００３２】
図面中、１は車載ハンズフリーシステム、２はＢｌｕｅｔｏｏｔｈ携帯電話機（携帯電話機）、３は車載ハンズフリー装置、４は制御部（制御手段）、６は表示部（報知手段）７はＢｌｕｅｔｏｏｔｈユニット（近距離無線通信手段）、１０は操作部（選択手段）である。
【図１】
0004715492.tif 000002
【図２】
0004715492.tif 000003
【図３】
0004715492.tif 000004
【図４】
0004715492.tif 000005
【図５】
0004715492.tif 000006
【図６】
0004715492.tif 000007